(57)【要約】【課題】片手のみで釣竿とリールの双方の操作を可能とすること。【解決手段】釣竿に着脱自在に取り付けられる超小型電動リール30である。マイクロモータとリール15を内蔵した筒状本体部11と、その下面に設けた電源部25とからなる。リール15の上方部分の本体部に開口部17を設け、この開口部17からリール15に釣糸が導入され、巻回される。リール15の両端フランジ部15f を幅広に形成し、その外周面に滑り止めの横溝を多数設ける。この外周面を指で押圧して回転駆動中のリール15の回転を制動し又は停止することができる。リール15の回転軸15s はマイクロモータの回転駆動軸側の片持ち支持で、リール15の回転軸15s は釣竿の長手方向と直交する。電源スイッチ20を投入して電源部25からマイクロモータに通電され、釣糸が開口部17からリールに巻き取られる。【選択図】図２
2009100651.tif 000002
【特許請求の範囲】
【請求項１】
釣竿に着脱自在に取り付けられる釣竿用電動リールであって、
マイクロモータ(12)を収納できる大きさの筒状本体部(11)と、
筒状本体部(11)に隣接して、或は釣竿の内部等の離隔した部位に電源部(25, 26)を設け、
筒状本体部(11)の内部には、マイクロモータ(12)とマイクロモータ(12)の回転駆動軸(12s) に直接連結固定された釣糸巻取り用のリール(15)とが内蔵され、このリール(15)の上方部分に対応する本体部(11)に開口部(17)を設け、この開口部(17)からリール(15)が露出するように形成され、
前記リール(15)の両端フランジ部(15f, 15f)の両方又は一方の外周面を指等で押圧して回転駆動中のリール(15)の回転を制動し又は停止することができ、
前記リール(15)の回転軸(15s) はマイクロモータ(12)の回転駆動軸(12s) 側の片持ち支持とし、前記リール(15)の回転軸(15s) は釣竿の長手方向とほぼ直交する向きに配置し、
本体部(11)適宜位置に設けられた電源スイッチ(20)を投入することにより電源部(25)からマイクロモータ(12)に通電され、釣糸(16)が前記開口部(17)からリール(15)に巻き取られることを特徴とする超小型釣竿用電動リール。
【請求項２】
マイクロモータ(12)の回転駆動軸(12s) 側と反対側のリール(15)の回転軸(15s) の先端部(15t) を、筒状本体部(11)の一方の端面に形成された穴部(29)に進入させ、この穴部(29)と前記回転軸(15s)先端部(15t)とは一定の間隔を維持して接触しないように配置し、
且つ前記穴部(29)内周部にはベアリングを配備したことを特徴とする請求項１に記載の超小型釣竿用電動リール。
【請求項３】
電源スイッチ(20)が筒状本体部(11)の周面を回動するリング形状のものからなり、本体部(11)の周方向に回動させることによりオン・オフ切替が可能なことを特徴とする請求項1又は２に記載の超小型釣竿用電動リール。
【請求項４】
電源部(25)を筒状本体部(11)の下側に設け、この電源部(25)の下面で釣竿に固定できることを特徴とする請求項１乃至３の何れかに記載の超小型釣竿用電動リール。
【発明の詳細な説明】
【技術分野】
【０００１】
本発明は、釣糸をマイクロモータによって巻き取ることが可能な、超小型の釣竿用電動リールに関するものである。
【背景技術】
【０００２】
従来の釣竿においては、一般的には釣竿の根元部側の握り部前方に釣糸を巻き取るためのリールが設けられたものが存在しており、また、このリールの巻き取りに際して、電動モータを利用した電動リールを備えたものが各種存在している。
更に、電動モータを利用した電動釣竿関連のものとしては、下記特許文献に記載のものも提案されている。
【０００３】
特許文献１に記載の電動釣竿においては、釣糸の巻上げ及び繰出しの際に、釣竿を上下させる必要がなく、且つ手動巻き上げや繰出しをも可能としたものである。
特許文献２に記載のリールを内蔵した釣竿においては、釣竿の手元部分にリールを内蔵してこの手元部分が必要以上に太くならない構造を実現することを目的とするものである。
特許文献３に記載の電動リール付き釣り竿においては、部品点数を少なくした構造簡単なもので、釣糸を少しずつ繰出して所定の深さに容易に合わせることができるものを提供することを目的としたものである。
【特許文献１】特開２００４−２９０１５４号公報
【特許文献２】特開平１０−２３４２７６号公報
【特許文献３】実用新案登録第３１２５３００号公報
【発明の開示】
【発明が解決しようとする課題】
【０００４】
上記特許文献１の電動釣竿おいては、手動ギアを備えており、基本的には電動モータを備えているものの使用者の両方の手を使って操作することが前提となっている。
また、電動モータと糸巻ローラのローラ回転軸とは動力伝達機構を備え、この伝達機構の駆動力伝達を遮断する遮断機構も設けており、その構造が複雑となっている。
上記特許文献２のリールを内蔵した釣竿においても、従来のリールを釣竿の手元部分の内部に設置するというコンセプトから創案されており、そのリールの動きが釣竿の長手方向を軸とした回転と、その長手方向に沿った往復運動をさせる駆動手段を備えており、その構造は複雑とならざるを得ず、且つ、リールを回転する手動ハンドルを設けており、両手で操作することが基本となっている。
【０００５】
また上記特許文献３の電動リール付き釣竿においては、上記従来例に比較すると非常に構造簡単なものであるが、その特徴は、電動モータの回転駆動力を遮断する構造にあり、この遮断構造として、押圧片を利用して電動モータ自体を上下に回動させることができるように構成したものである。
そこで本発明においては、海釣りでも川釣りでも一般的に使用する釣竿において片手のみで釣糸を繰出し且つ巻き取ることができ、つまり身体障害者等であっても容易に片手で操作することができるような電動リールを提供することをその課題としている。
【０００６】
通常は、魚釣り用ボートの縁や、海浜公園等の釣堀の柵等に支持具を固定し、その支持具に釣竿を取り付けて魚釣りを楽しむのであるが、この支持具の支持は、釣竿の根元部を上下回動可能に固定して、その少し前方位置で釣竿の下側と側方のみを支持するもので、釣竿のその前方支持位置の少し前を把持して竿を上下に揺動させる、所謂ポンピング動作を行うことができ、従来においては、このポンピング動作と共にリールを回転させて獲物を引き寄せ、釣り上げていたのである。
従って、ポンピング動作のための一方の手と、リールを回転させるための他方の手の両方の手を使用する必要があった。
【０００７】
しかし、身体障害者や怪我をした者等ハンディキャップを負った人々にとっては両手を十分に使えず、上記のポンピング動作とリールの巻取り動作を同時に行うことが出来ないという人もおり、一般の人と同様に魚釣りを楽しむことが出来ないという問題があった。
そこで、本発明においては、この問題の解決を図るべく、片手のみで上記２つの動作を行うことができないかという課題に取り組み、その問題を解決すべく本発明の創案に至ったのである。
尚、本発明においては、釣具の支持具を利用する場合も、利用せずに直接片手のみで使用する場合も、何れの場合にも利用できるものを提供することを目指している。
【課題を解決するための手段】
【０００８】
上記の課題を解決するために、本発明の第１のものは、釣竿に着脱自在に取り付けられる釣竿用電動リールであって、マイクロモータを収納できる大きさの筒状本体部と、筒状本体部に隣接して、或は釣竿の内部等の離隔した部位に電源部を設け、筒状本体部の内部には、マイクロモータとマイクロモータの回転駆動軸に直接連結固定された釣糸巻取り用のリールとが内蔵され、このリールの上方部分に対応する本体部に開口部を設け、この開口部からリールが露出するように形成され、前記リールの両端フランジ部の両方又は一方の外周面を指等で押圧して回転駆動中のリールの回転を制動し又は停止することができ、前記リールの回転軸はマイクロモータの回転駆動軸側の片持ち支持とし、前記リールの回転軸は釣竿の長手方向とほぼ直交する向きに配置し、本体部適宜位置に設けられた電源スイッチを投入することにより電源部からマイクロモータに通電され、釣糸が前記開口部からリールに巻き取られることを特徴とする超小型釣竿用電動リールである。
【０００９】
本発明の第２のものは、上記第１の発明において、マイクロモータの回転駆動軸側と反対側のリールの回転軸の先端部を、筒状本体部の一方の端面に形成された穴部に進入させ、この穴部と前記回転軸先端部とは一定の間隔を維持して接触しないように配置し、且つ前記穴部内周部にはベアリングを配備したことを特徴とする超小型釣竿用電動リールである。
【００１０】
本発明の第３のものは、上記第１又は第２の発明において、電源スイッチが筒状本体部の周面を回動するリング形状のものからなり、本体部の周方向に回動させることによりオン・オフ切替が可能なことを特徴とする超小型釣竿用電動リールである。
【００１１】
本発明の第４のものは、上記第１乃至第３の発明において、電源部を筒状本体部の下側に設け、この電源部の下面で釣竿に固定できることを特徴とする超小型釣竿用電動リールである。
【発明の効果】
【００１２】
本発明の第１のものにおいては、その筒状本体部の大きさが非常に小さいものであることが第1の特徴となっており、この超小型電動リールを釣竿に取り付け固定して、そのリールの取り付け箇所の直ぐ下の部位を片手で把持して、釣竿及びリールの両方を片手で操作することができるものである。
即ち、その把持した手の例えば親指で電源スイッチのオン・オフ操作ができる。
また、電源スイッチを投入した状態で、マイクロモータは、釣糸を巻き取る方向に回転駆動するが、その回転駆動中に同じく親指等でリールの両端フランジ部の（両方及び／又は一方の）外周面を押圧してリールの回転にブレーキを掛けたり、停止させたりすることも自由に出来るのである。
【００１３】
そして、同時に釣竿を上下に動かす所謂ポンピング動作も同じ片手で行うことができるのである。
本発明では、トルクのそう大きくないＤＣマイクロモータを使用しており、電源オフ状態では当然に自由に釣糸を繰出すことができ、且つ、電源オン状態でも獲物が釣針に掛かった状態で、獲物の引っ張り力が強く、モータのトルクを超えるような状態となれば、釣糸は繰出されるのである。
【００１４】
従って、使用者は、釣餌を付け、適宜長さ分繰出し、海中等に投入後、右手又は左手の片方の手で釣竿を把持し、この状態で獲物が掛かるのを待ち、獲物が掛かった状態で、把持した手の例えば親指で電源スイッチを投入し、釣竿の先端部を下方に下げ、その後やはり把持した片手の親指でリールの両端フランジ部を押圧してマイクロモータの回転駆動軸の回転を停止させて釣竿の先端部を上方に引き上げるのである。これにより獲物は少し手繰り寄せられることとなる。
【００１５】
次に、リールの両端フランジ部を押圧していた親指の力を緩めてその押圧状態を解除しつつ、釣竿の先端側を下方に下げると、釣糸に負荷されていた獲物からの引っ張り力が減少してマイクロモータの回転力が勝り、釣糸がリールに巻き取られるのである。
釣竿の先端側が最下方に下げられた状態で、今度は先の第一の動作に戻り、リールの両端フランジ部を再度親指で押圧すると共に、釣竿の先端側を今度は上方に引き上げるのである。すると釣糸の繰出しは制御され、停止して、獲物は更に釣り人の側に引き寄せられることとなるのである。
以上のように使用者の片手のみの操作と動作により、獲物が掛かった状態から獲物を手繰り寄せることができるのである。
【００１６】
簡単に上記手順をまとめると以下の通りとなる。
先ず、釣針、釣餌、錘等必要なものを釣糸先端側にセットしておく。
電源スイッチ・オフの状態で、必要な距離分だけ釣糸を繰出しておく。投げ釣ならば、そのままの状態で投げ込み、釣針等を海又は川に投入し、獲物が掛かるのを待つ。
獲物が掛かった時点で電源スイッチを片方の手の指先でオンに投入する。
電源が投入されると、マイクロモータは巻取り方向に回転トルクが掛かる。しかし、この回転トルクは、それ程大きくないので、この回転トルクのみで獲物を引き寄せることはできない。
次に、リールの両端フランジ部の外周を同じ片方の手で押圧する。この状態で、釣竿の先端側を上方に引き上げるように操作することによって獲物が引き寄せられる。
【００１７】
釣竿の先端部が最上方に到達した後、今度は手の指の（リール）フランジ部に対する押圧力を緩めると同時に、釣竿先端側を下方に下げる。するとマイクロモータの回転駆動力により釣糸はリールに巻き取られる。
釣竿の先端が最下端に到達した後、再度、リールの両端フランジ部を同じ片方の手の指で押圧して、再度釣竿の先端側を上方に引き上げる。これにより獲物は再度釣り人の側に手繰り寄せられるのである。
以上の操作及び動作を繰り返して獲物を釣り上げることができるのであるが、その間使用するのは右手或は左手の一本の手のみで獲物を手繰り寄せることが可能となるのである。
【００１８】
本発明の第２のものにおいては、マイクロモータの回転駆動軸とリールとを直接連結固定して何らの伝達手段をも利用していないために、その構造が極めて簡単となり、本体部の大きさを最小限にすることができる。
また、リールは、マイクロモータの回転駆動軸に片持ち支持され、そのリールが設けられた回転軸の他方端部は、本体部の端面に形成された穴部に進入するものの、その穴部の内周面とは接触しないように構成している。そして、その穴部の内周にはベアリングを設け、仮に回転軸が振れた場合にも、回転軸の先端部はベアリングの内輪に接するだけで殆ど摩擦抵抗も受けることがない。
【００１９】
尚、本発明においては、マイクロモータの回転駆動軸の回転によってリールが釣糸を巻き取る際に、その釣糸は、理由は不明なのではあるが、リールの回転軸の一部に偏ることなく、一方の側から他方の側へ、他方の側から一方の側に左右に振れて巻き取られ、決して軸の一部位に集中して巻き取られることがないことを本発明者は発見した。
これは、本発明に係る電動リールの開発中に何度も実験を重ねた際に発見されたのであるが、その原因が今のところ不明なのである。
【００２０】
現在のところでは、使用しているポリエステル糸が柔軟なより糸のために、そのより糸が本体部の開口部の縁部に触れることにより、左右に振れるという見解と、リールの回転軸、即ちマイクロモータの回転駆動軸がモータ側の片持ち支持のために、リールの回転軸自体が僅かなみそすり運動を行うために都合よく釣り糸が左右に振れて均一に巻き取られるのではないか、との推測の段階である。
いずれにしても、本発明においては、マイクロモータによるリールの回転により極めて都合よく釣り糸が均一に巻き取られるのである。
【００２１】
本発明の第３のものにおいては、電源スイッチが筒状本体部の周面の周方向に回動するために容易に片手の親指等でそのオン・オフ操作を行うことができる。
本発明の第4のものにおいては、乾電池等の電源部を筒状本体部の下側に設けているために、どのような釣竿にも簡単に着脱ができ、釣り竿の構成を考慮する必要がないものとなる。
【発明を実施するための最良の形態】
【００２２】
以下、添付の図面と共に本発明の実施形態について説明する。
図１は、本発明の第１の実施形態に係る電動リール１０の全体斜視図である。この第1の実施形態に係る電動リール１０は、その電源部を別体に設けているものである。
この電動リール１０は、その円筒形状の筒状本体部１１の内部にＤＣマイクロモータ１２が内蔵されており、そのマイクロモータ１２の回転駆動軸１２ｓの先端側にリール１５が連結固定されている。
この筒状本体部１１の大きさは、内部にマイクロモータ１２とリール１５を内蔵できればよく、非常に小さく設計することができ、この実施形態の外径は約２８ｍｍで、その長さは約６５ｍｍ程度である。
【００２３】
リール１５の上方部分に対応する本体部１１の周側面には略矩形形状の開口部１７が設けられ、この開口部１７から釣糸１６が導入され、リール１５の回転軸に巻回される。
リール１５の回転軸の図中左側の先端部は、後の図４（Ｂ）で詳しく説明するが、支持されておらず、リール１５は、マイクロモータ１２の回転駆動軸１２ｓによって片持ち支持とされている。
また、リール１５の両端フランジ部１５ｆ、１５ｆは少し幅をもって形成され、その外周面部には横溝が多数列設され、これらの横溝が滑り止め手段となっている。
【００２４】
開口部１７の図中左側には、筒状本体部１１の外周面を周方向に摺動する回動リングが設けられ、この回動リングが電源スイッチ２０となっている。図ではスイッチ・オフの位置にあるが、この電源スイッチ２０を方向Ｄへ回動させると、スイッチ・オンの状態になるものである。
筒状本体部１１の左寄りの下面には、釣竿の長手方向である前後方向に延長する支持脚部２２が設けられており、この実施形態では、図には現れていないが、この支持脚部２２の下面にプラス及びマイナスの電極端子が設けられている。
【００２５】
そして、この支持脚部２２を釣竿にセットして、固定すると、釣竿にもこれらプラスとマイナス端子に対応する電極端子が設けられており、これらが接続されることにより、釣竿の根元部内部に収納された乾電池から電力が供給される構成となっている。釣竿内に設備される乾電池及び配線等の図示は省略している。
尚、このように釣竿内部に電源部を設けたのは、例えば単三乾電池或は単二乾電池等の大きいサイズの乾電池を使用する場合には、後に説明する単四乾電池を用いた第２実施形態のように筒状本体部に隣接して電源部を設けることが困難となるからである（後述する）。
【００２６】
以上の構成からなる本発明の超小型電動リール１０においては、先ず支持脚部２２の前方端部２２ｆと後方端部２２ｒを釣竿にセットして固定する。この際、支持脚部２２の下面に設けられたプラス及びマイナス電極端子は、釣竿側に設けられているプラス及びマイナス端子と接合する。
リール１５の回転軸部に巻回された釣糸１６を前方Ｆに導出して、釣竿の適宜位置に設けられているガイドに挿通して釣竿先端部から更に釣糸を引き出して、釣糸の先端部には、釣針、錘等を取り付けておく。適宜釣餌等を釣針に装着して、海面等に投入し、獲物が掛かるのを待つのである。
獲物が掛かった後は、先に説明した通り、電源スイッチ２０を投入して釣竿を上下にポンピング動作を行いつつ、リール１５の両端フランジ部１５ｆ、１５ｆを親指で押圧しつつ、獲物を引き寄せるのである（使用方法は後述する）。
【００２７】
図２は、本発明の第２の実施形態に係る超小型電動リール３０を示す全体斜視図である。
この第２の実施形態にあっては、その筒状本体部１１の構成は前記第1の実施形態と同様である。図では理解容易化のため釣糸の図示を省略している。
即ち、筒状本体部１１の内部には、マイクロモータとその回転駆動軸に連結固定されたリール１５が内蔵され、リール１５の上方部に対応する位置に略矩形形状の開口部１７が設けられて、リール１５が外部に露出され、リール１５の両端フランジ部１５ｆ、１５ｆはやや幅広に形成され、その外周面には横溝が多数設けられ、滑り止め手段が施されている。リール１５の回転軸１５ｓに釣糸が巻回されるのである。
そして、この第２の実施形態で前記第１の実施形態と異なる部分が電源部２５である。
【００２８】
この電源部２５は、筒状本体部１１の下面に釣竿の長手方向の前後方向に延長するように設けられたもので、内部に単四乾電池を２本収納できる大きさの箱体形状のものである。乾電池は前後方向、即ち釣竿の長手方向に平行に配置されている。
そして、この電源部２５の前方略中央部から前方に突出する支持脚部の前方端部２２ｆが設けられ、同様に電源部２５の後方略中央部から後方に突出する支持脚部の後方端部２２ｒが設けられており、これらが釣竿に設けられている取り付け用受部と係合して、釣竿に取り付けられ、固定されるのである。
この実施形態では、電源部２５が本体部１１の下面に固定され、設けられているために何れの釣竿にも取り付け固定することができるものである。即ち、第１の実施形態のような釣竿に電源部が備えられたものでなくとも使用可能となる。
電源スイッチ２０の構成も前記第1の実施形態と同じである。
【００２９】
図3は、前記第1の実施形態に係る電動リール１０を釣竿４０に取り付け固定した状態を示す説明図である。
釣竿４０には、電動リール１０の支持脚部２２の前方端部２２ｆを受容する前方受部４２ｆと、電動リール１０の支持脚部２２の後方端部２２ｒを受容する後方受部４２ｒが設けられており、この後方受部４２ｒが前後に摺動可能に形成されている。
この後方受部４２ｒを固定するのが、固定部４１である。即ち、固定部４１を起立させることにより後方受部４２ｒが後方に摺動可能となり、電動リール１０の支持脚部２２の後方端部２２ｒを配置して後、前記後方受部４２ｒを前方に摺動させ、その後起立している固定部４１を前方に倒すことにより、後方端部２２ｒが固定される。
【００３０】
この状態で、支持脚部２２の下面に設けられているプラスおよびマイナスの電極端子が釣竿の電極端子のそれぞれに接合し、釣竿内部に配備された乾電池２６と通電可能となる。
以上のように第1実施形態に係る電動リール１０を釣竿４０にセットし固定することができる。そして、電源スイッチ２０を前方に回動させると電源スイッチ・オン状態となり、リール１５が釣糸１６を巻き取る方向に回転する。釣竿４０のポンピング動作に合わせてリール１５の両端フランジ部１５ｆ、１５ｆを親指等で押圧することにより、リール１５の回転を制御し、停止させることができる。
【００３１】
この図３を用いて再度使用方法について説明する。
先ず、釣糸１６は、この実施形態では、柔軟で且つ丈夫なポリエステル糸を使用している。釣糸１６は、リール１５の回転軸に巻回され、その先端は、釣竿４０のガイドに案内されて釣竿先端まで引き出され、釣糸１６の先端部分には釣針、錘等の必要備品が装備される。
釣針に釣り餌等を装着して、海面等に投入して獲物が掛かるのを待つ。このとき釣竿４０の先端部は、下方位置にある。
釣竿４０を把持する手の位置は、電動リール１０の手前側の部分５である。即ち、例えば親指を伸ばせば電源スイッチ２０の操作をすることができ、且つリール１５の両端フランジ部１５ｆを押圧できる距離である。
【００３２】
獲物が掛かった後は、釣竿４０を握っている片方の手の指で電源スイッチ２０を回動させてオンにし、その後リール１５の両端フランジ部１５ｆを押圧して、リール１５の回転を停止させた状態で、釣竿４０を上方に引き上げるのである。これにより獲物が少し引き寄せられる。このときにリール１５を押圧するのは、獲物の引きが強い場合には、マイクロモータの回転力が獲物の引っ張り力に負けて釣糸が引き出されてしまい、獲物を引き寄せることが出来ないからである。
このようにして、獲物を少し引き寄せた後は、釣竿４０の先端部を下に下げると同時に、リール１５の両端フランジ部１５ｆを押圧していた指を離すのである。釣竿４０の先端部を下に下げることにより獲物の引っ張り力は緩和され、マイクロモータの回転力が勝り、釣糸１６がリール１５に巻き取られる。
【００３３】
釣竿４０の先端が下方位置に来たら、再度手の指でリール１５の両端フランジ部１５ｆを押圧して、リール１５の回転を停止させ、釣竿４０の先端部を上方に再度引き上げることにより獲物は更に釣人の側に引き寄せられるのである。
以上の動作を繰り返して、獲物を引き寄せることができるのであるが、釣竿４０のポンピング動作と、リール１５の両端フランジ部１５ｆの押圧による制動、停止動作は、適宜状況に適合させて臨機応変に行うことができるものである。  
【００３４】
図４は、上記第２の実施形態に係る電動リール３０を図示しており、その（Ａ）が平面図、その（Ｂ）が図４（Ａ）の矢印Vの方向から見た左側面図であって、端面のキャップを取り外して図示している。
筒状本体部１１の内部右側には、マイクロモータ１２が内蔵され、マイクロモータ１２の回転駆動軸１２ｓとリール１５の回転軸１５ｓが連結固定されている。
リール１５の回転軸１５ｓの左側先端部１５ｔは支持されておらず、マイクロモータ１２の回転駆動軸１２ｓの側の片持ち支持となっている。
【００３５】
この構成が原因であるか否かは不明であるが、リール１５の回転軸１５ｓに巻回される釣糸は、極めて都合よく左右に振れつつ巻回され、釣糸が回転軸１５ｓの一方の側に偏って巻回されることがない。
電源部２５には、単四乾電池２５ｂが２本、図４（Ａ）では上下方向に、図４（Ｂ）では左右方向に配備されている。
回動リングからなる電源スイッチ２０を一方向に回動させると電源部２５内の乾電池２５ｂから電力が供給されて、リール１５が回転し、回転軸１５ｓが釣糸を巻き取ることができる。
【００３６】
図４（Ｂ）においては筒状本体部１１の左側端面のキャップ２６を取り外した状態を図示しており、リール１５の回転軸１５ｓの左側先端部１５ｔの状態を見てとることができる。
この左側先端部１５ｔは、本体部１１の左側端面部２７の中央穴部２９に設けられたベアリング２８の内輪２８ｎと少しのクリアランスを設けており、直接支持はされていない。尚、この図ではそのクリアランスを明瞭に示すために実際よりも大きく図示している。
クリアランスを設けて直接支持をしていないにも拘わらずベアリングを設けたのは、その左側先端部１５ｔが内輪２８ｔに触れる場合もあるからである。
【００３７】
以上、実施形態について説明したが、本発明においては以下の通り種々設計変更することが可能である。
まず、本発明においては、電源部を隣接させて設けたものと、電源部を本体部から離隔させて釣竿内部に設けたものとの２つのタイプのものを実施形態として示したが、マイクロモータとリールとを直接に連結固定して本体部内に設け、そのサイズを極めてコンパクトなものとしたことが一つの特徴をなしており、その外形形状等は特に限定されず、種々の形状を採用することができる。
本体部の形状も上記実施形態のような円筒形状なく、角型筒形状のものであっても実施可能である。
【００３８】
本体部が角型筒形状の場合には、前記実施形態のような回動リングタイプの電源スイッチを使用することができないため、通常の押しボタン式のスイッチでもよく、或は前後に摺動するタイプのスイッチであってもよい。
マイクロモータに関しても、本発明においてはＤＣマイクロモータを使用している。
その大きさも各種のものがあるが、所望の外径寸法（トルク）のものを選んで、その大きさに合致させるように筒状本体部を極めてコンパクトに形成することができる。
【００３９】
そして、そのマイクロモータの駆動トルクは、あまり大き過ぎないことが肝要であり、獲物が掛かった際に、その引張り力と均衡できる程度のものが極めて相応しいのである。
というのも、そのトルクが大きすぎると、獲物の引く力と巻取りトルクが相乗して釣糸が切れてしまったり、細くてしなやかな釣竿の先端部が折れてしまう恐れがあるからである。人間のポンピング動作を介して徐々に獲物を引き寄せることが出来る程度のトルクが極めて望ましいからである。
【００４０】
電源部は、上記の第２実施形態では、単四乾電池２個をセットしたものを使用したが、電源部を釣竿の内部に内蔵する第１実施形態のものにあっては、単三、単二或は単一乾電池を複数個セットしたものであってもよく、更には繰り返し充電可能なバッテリーを使用することもできる。
また、第１の実施形態においては、マイクロモータからの電極を支持脚部の下面に設けたが、特に電極を設けずに、モータからの配線を釣竿の内部に導入するように構成して、電源部に接続するように形成することもできる。
【００４１】
リールのサイズや形状も適宜必要に応じて設計することができるが、マイクロモータの大きさに合致する本体部のサイズに合わせる必要がある。
両端フランジ部の横幅も自由に設定することができ、その外周面に形成する滑り止め手段もまったく自由に設計することができる。
フランジ部の外周面に設ける滑り止め手段は、一方のフランジ部のみに形成しても、両方のフランジ部に形成してもよい。要するに片方の親指等で容易に操作できる程度の幅と滑り止め手段が施されていればよいものである。
以上、本発明においては、完全に片方の手で操作することができる超小型電動リールを開発することができ、とりわけハンディキャップを負った人々でも片手で容易に釣りを楽しむことができる電動リールを提供することができたものである。
【図面の簡単な説明】
【００４２】
【図１】本発明の第１の実施形態に係る超小型電動リールを示す全体斜視図である。
【図２】本発明の第2の実施形態に係る超小型電動リールを示す全体斜視図である。
【図３】前記第1の実施形態に係る電動リールを釣竿に取り付け固定した状態を示す説明図である。
【図４】前記第２の実施形態に係る電動リールを図示しており、その（Ａ）が平面図、その（Ｂ）が左側面図であって、端面のキャップを取り外した状態を図示している。
【符号の説明】
【００４３】
１０、３０  電動リール
１１  筒状本体部
１２  マイクロモータ
１２ｓ  回転駆動軸
１５  リール
１５ｆ  フランジ部（リールの）
１５ｓ  回転軸（リールの）
１５ｔ  先端部（回転軸の）
１６  釣糸
１７  開口部
２０  電源スイッチ
２２  支持脚部
２５  電源部
２６  乾電池
２９  穴部
４０  釣竿
【図１】
2009100651.tif 000003
【図２】
2009100651.tif 000004
【図３】
2009100651.tif 000005
【図４】
2009100651.tif 000006